(57)【要約】　　　（修正有）【課題】トリガに指をかけにくくなる、デザイン面での自由度が減少するなどの問題を解消することが可能であり、使用時において、水鉄砲本体とトリガとの間に指を挟む心配のない、安全なトリガを設けた水鉄砲を提供する。また玩具使用時に標的となるシャボン玉を発生させるシャボン玉発生玩具を水鉄砲本体に収納可能とし、水鉄砲またはシャボン玉発生玩具のみで遊ぶ場合においても、快適に遊ぶことができる水鉄砲を提供する。【解決手段】水鉄砲１であって、指掛け部６ｂ上部に張出し部６ａを形成したトリガ６を設けることにより、玩具使用時に子供が水鉄砲本体１のケースとトリガ上部の隙間に指を挟むことを防止可能としている。また、水鉄砲本体の一部にシャボン玉を発生させるシャボン玉発生玩具２を収納可能な収納部を設けて構成される。【選択図】　図１
0003096895.tif 000002
【実用新案登録請求の範囲】
【請求項１】
水鉄砲であって、
指掛け部上部に張出し部を形成したトリガを設けることにより、玩具使用時に水鉄砲本体のケースとトリガ上部の隙間に指を挟むことを防止可能としたことを特徴とする水鉄砲。
【請求項２】
水鉄砲であって、
水鉄砲本体の一部にシャボン玉を発生させるシャボン玉発生玩具の収納部を設けたことを特徴とする水鉄砲。
【請求項３】
請求項１記載のトリガと、請求項２記載のシャボン玉発生玩具の収納部を設けたことを特徴とする水鉄砲。
【考案の詳細な説明】
【０００１】
【考案の属する技術分野】
本考案は、玩具の水鉄砲の構成に関する。
【０００２】
【従来の技術】
従来知られる水鉄砲として、例えば、下記特許文献に挙げられるものが知られている。
【特許文献１】
実開昭５１‐８２５９０号公報
この考案は、子供が遊ぶときに水鉄砲本体のケースとトリガ上部の隙間に指を挟むことがないように、リング状のトリガを設けたことを特徴としている。このようなリング状のトリガは、指を挟む問題を解消する有効な方法ではあるが、使用時に指をかけにくくなる、デザイン面での自由度が減少するなどの点で改善の余地が存在していた。
【０００３】
また、水鉄砲で遊ぶ際にシャボン玉を標的にして遊ぶことが知られているが、このような遊び方をする場合、従来では個別に販売されているシャボン玉発生玩具と水鉄砲の両方を購入しなくてはならないため、費用的に高くつくだけでなく、個別の玩具を収納管理する手間が増えるなど、改善の余地が存在していた。
このような問題は、下記特許文献に開示されるように、シャボン玉発生玩具と水鉄砲を一体に形成した玩具を提供することで改善することができる。
【特許文献２】
米国特許３３９９４８５号公報
この発明は、シャボン玉発生玩具と水鉄砲を一体に形成した玩具を提供するものである。
しかしながら、水鉄砲とシャボン玉発生玩具が分離できないため、玩具本体が大型になり重くなる。そのため、水鉄砲またはシャボン玉発生玩具のみで遊ぶ場合には、煩わしく感じられるなどの改善の余地が存在していた。
【０００４】
【考案が解決しようとする課題】
本考案は、上記従来技術の問題点に鑑み成されたものであり、
使用時に指をかけにくくなる、デザイン面での自由度が減少するなどの問題を解消する、使用時に指を挟む心配のない安全なトリガを設けた水鉄砲を提供することを課題とする。
また本考案は、玩具使用時に標的となるシャボン玉を発生させるシャボン玉発生玩具を水鉄砲に収納可能とし、水鉄砲またはシャボン玉発生玩具のみで遊ぶ場合においても、快適に遊ぶことができる水鉄砲を提供することを課題とする。
【０００５】
【課題を解決するための手段】
請求項１記載の考案は、水鉄砲であって、
指掛け部上部に張出し部を形成したトリガを設けることにより、玩具使用時に水鉄砲本体のケースとトリガ上部の隙間に指を挟むことを防止可能としたことを特徴とする。
【０００６】
本考案によれば、トリガの指掛け部上部に形成される張出し部によって、指が保護されるので、玩具使用時に子供が水鉄砲本体のケースとトリガ上部の隙間に指を挟むことを防止可能な水鉄砲を提供することができる。
【０００７】
請求項２記載の考案は、水鉄砲であって、
水鉄砲本体の一部にシャボン玉を発生させるシャボン玉発生玩具の収納部を設けたことを特徴とする。
【０００８】
本考案によれば、水鉄砲本体にシャボン玉発生玩具の収納部を形成しているので、販売時には、この収納部にシャボン玉発生玩具を収納して販売することができる。また、玩具使用時には、シャボン玉発生玩具で発生させたシャボン玉を水鉄砲で射撃して遊ぶことができる。そして、シャボン玉発生玩具または水鉄砲のみで遊ぶ場合には、水鉄砲本体からシャボン玉発生玩具を取外して使用することができるので、いずれの場合においても快適に遊ぶことができる。
【０００９】
請求項３記載の考案は、
請求項１記載のトリガと、請求項２記載のシャボン玉発生玩具の収納部を設けたことを特徴とする。
【００１０】
本考案によれば、トリガの指掛け部上部に形成される張出し部によって、指が保護されるので、玩具使用時に子供が水鉄砲本体のケースとトリガ上部の隙間に指を挟むことを防止可能な水鉄砲を提供することができる。
また、水鉄砲本体にシャボン玉発生玩具の収納部を形成しているので、販売時には、この収納部にシャボン玉発生玩具を収納して販売することができる。また、玩具使用時には、シャボン玉発生玩具で発生させたシャボン玉を水鉄砲で射撃して遊ぶことができる。そして、シャボン玉発生玩具または水鉄砲のみで遊ぶ場合には、水鉄砲本体からシャボン玉発生玩具を取外して使用することができるので、いずれの場合においても快適に遊ぶことができる。
【００１１】
【考案の実施の形態】
本考案は、水鉄砲であって、指掛け部上部に張出し部を形成したトリガを設けることにより、玩具使用時に子供が水鉄砲本体のケースとトリガ上部の隙間に指を挟むことを防止可能としている。
また、水鉄砲本体の一部にシャボン玉を発生させるシャボン玉発生玩具の収納部を設けている。これにより、玩具販売時に、この収納部にシャボン玉発生玩具を収納して販売可能とするだけでなく、玩具使用時には、シャボン玉発生玩具で発生させたシャボン玉を、水鉄砲で射撃して遊ぶことを可能としている。そして、シャボン玉発生玩具または水鉄砲のみで遊ぶ場合には、水鉄砲本体からシャボン玉発生玩具を取外して使用することにより、いずれの場合においても快適に遊ぶことを可能としている。
【００１２】
【実施例】
以下、図面を参照して、本考案に係る実施例を詳細に説明する。
はじめに、図１乃至図３を参照して本実施例に係る玩具の構成を説明する。
図１は、本実施例に係る玩具の外観を示しており、図２は、その断面図を示している。また、図３は、背面図を示している。
本実施例に係る水鉄砲は、水鉄砲本体１と、これに収納されるシャボン玉発生玩具２とから構成されている。
水鉄砲本体１は、樹脂成型して形成される上ケース１Ａと、下ケース１Ｂを接着して形成されており、内部には水タンク１１とポンプ３が設けられている。
この水タンク１１の上部には、着脱自在のキャップ１１ａが嵌合される注水口が形成されており、使用時にはここから水４を入れる。
ポンプ３は、水タンク１１の内部に配置されており、トリガ６を操作することで作動して、吸水管３２から水タンク１１内部の水を吸い上げ、ゴムチューブ３１を通して放水口３３から放水する。
トリガ６には、指掛け部６ｂの上部に張出し部６ａが形成されている。この張出し部６ａは、指掛け部６ｂに掛けられた指が水鉄砲本体１のケースに接触することを防ぎ、玩具使用時に子供が水鉄砲本体のケースとトリガ上部の隙間に指を挟む問題を解消するものである。
シャボン玉発生玩具２は、試験管状の容器２２内部にシャボン玉液２３を注入し、下部にリング部材が設けられたバー２１ｂを有するキャップ２１を取付けて構成されており、水鉄砲本体１に設けた保持部に挿入して着脱自在に収納可能としている。収納時においては、容器２２がケース壁面１２、支持部材１３、接触部１４の三箇所で支えられ、各部の摩擦によって保持される。
キャップ２１は、容器２２の上部に螺子式に取付けられており、反時計方向に回転させることにより取外すことができる。そして、取外したキャップ２１を引き上げてリング部材２１ａを容器２２の外に引き出すと、リング部材２１ａにはシャボン膜が形成されるので、これに息を吹きかけることにより、シャボン玉を発生させることができる。
【００１３】
次に、図４を参照して、本実施例に係る玩具の遊び方について説明する。
図４は、本実施例に係る玩具の使用状態を示す図である。
本実施例に係る玩具は、図示するように、シャボン玉発生玩具２を用いて飛ばしたシャボン玉５を射撃して遊ぶことができる。そして、シャボン玉発生玩具２を水鉄砲本体１から取外すことにより、シャボン玉発生玩具または水鉄砲のみでも快適に遊ぶことができる。
【００１４】
なお、本実施例においては、シャボン玉発生玩具２は実施例に示す構造のものに限定されることなく、従来知られる他の構成によるものであっても構わない。
【００１５】
【考案の効果】
本考案は、以上説明したような形態で実施され、次のような効果を奏する。
【００１６】
本考案によれば、トリガの指掛け部上部に形成される張出し部によって、指が保護されるので、玩具使用時に子供が水鉄砲本体のケースとトリガ上部の隙間に指を挟むことを防止可能な水鉄砲を提供することができる。
【００１７】
また、本考案によれば、水鉄砲本体にシャボン玉発生玩具の収納部を形成しているので、販売時には、この収納部にシャボン玉発生玩具を収納して販売することができる。さらに、玩具使用時には、シャボン玉発生玩具で発生させたシャボン玉を水鉄砲で射撃して遊ぶことができる。そして、シャボン玉発生玩具または水鉄砲のみで遊ぶ場合には、水鉄砲本体からシャボン玉発生玩具を取外して使用することができるので、いずれの場合においても快適に遊ぶことができる。
【００１８】
また、本考案によれば、トリガの指掛け部上部に形成される張出し部によって、指が保護されるので、玩具使用時に子供が水鉄砲本体のケースとトリガ上部の隙間に指を挟むことを防止可能な水鉄砲を提供することができる。
また、水鉄砲本体にシャボン玉発生玩具の収納部を形成しているので、販売時には、この収納部にシャボン玉発生玩具を収納して販売することができる。また、玩具使用時には、シャボン玉発生玩具で発生させたシャボン玉を水鉄砲で射撃して遊ぶことができる。そして、シャボン玉発生玩具または水鉄砲のみで遊ぶ場合には、水鉄砲本体からシャボン玉発生玩具を取外して使用することができるので、いずれの場合においても快適に遊ぶことができる。
【００１９】
【図面の簡単な説明】
【図１】本考案に係る玩具の一実施例の外観を示す図である。
【図２】図１に示す水鉄砲本体の断面図である。
【図３】図１に示す玩具の背面図である。
【図４】図１に示す玩具の使用状態を示す図である。
【符号の説明】
１　　　水鉄砲本体
１Ａ　　上ケース
１Ｂ　　下ケース
１１　　水タンク
１１ａ　キャップ
１２　　ケース壁面
１３　　支持部材
１４　　接触部
２　　　シャボン玉発生玩具
２１　　キャップ
２１ｂ　バー
２１ａ　リング部材
２２　　容器
２３　　シャボン玉液
３　　　ポンプ
３１　　ゴムチューブ
３２　　吸水管
３３　　放水口
４　　　水
５　　　シャボン玉
６　　　トリガ
６ａ　　張出し部
６ｂ　　指掛け部
【図１】
0003096895.tif 000003
【図２】
0003096895.tif 000004
【図３】
0003096895.tif 000005
【図４】
0003096895.tif 000006
【手続補正書】
【提出日】平成15年5月6日(2003.5.6)
【手続補正１】
【補正対象書類名】明細書
【補正対象項目名】全文
【補正方法】変更
【補正の内容】
【考案の詳細な説明】
【実用新案登録請求の範囲】
【請求項１】水鉄砲であって、指掛け部上部に張出し部を形成したトリガを設けることにより、玩具使用時に水鉄砲本体のケースとトリガ上部の隙間に指を挟むことを防止可能としたことを特徴とする水鉄砲。
【請求項２】水鉄砲であって、
指掛け部上部に張出し部を形成したトリガを設けることにより、玩具使用時に水鉄砲本体のケースとトリガ上部の隙間に指を挟むことを防止可能としに水鉄砲本体の一部にシャボン玉を発生させるシャボン玉発生玩具の収納部を設けたことを特徴とする水鉄砲。
【考案の詳細な説明】
【０００１】
【考案の属する技術分野】
本考案は、玩具の水鉄砲の構成に関する。
【０００２】
【従来の技術】
従来知られる水鉄砲として、例えば、下記特許文献に挙げられるものが知られている。
【特許文献１】
実開昭５１‐８２５９０号公報
この考案は、子供が遊ぶときに水鉄砲本体のケースとトリガ上部の隙間に指を挟むことがないように、リング状のトリガを設けたことを特徴としている。このようなリング状のトリガは、指を挟む問題を解消する有効な方法ではあるが、使用時に指をかけにくくなる、デザイン面での自由度が減少するなどの点で改善の余地が存在していた。
【０００３】また、水鉄砲で遊ぶ際にシャボン玉を標的にして遊ぶことが知られているが、このような遊び方をする場合、従来では個別に販売されているシャボン玉発生玩具と水鉄砲の両方を購入しなくてはならないため、費用的に高くつくだけでなく、個別の玩具を収納管理する手間が増えるなど、改善の余地が存在していた。
このような問題は、下記特許文献に開示されるように、シャボン玉発生玩具と水鉄砲を一体に形成した玩具を提供することで改善することができる。
【特許文献２】
米国特許３３９９４８５号公報
この発明は、シャボン玉発生玩具と水鉄砲を一体に形成した玩具を提供するものである。
しかしながら、水鉄砲とシャボン玉発生玩具が分離できないため、玩具本体が大型になり重くなる。そのため、水鉄砲またはシャボン玉発生玩具のみで遊ぶ場合には、煩わしく感じられるなどの改善の余地が存在していた。
【０００４】
【考案が解決しようとする課題】
本考案は、上記従来技術の問題点に鑑み成されたものであり、使用時に指をかけにくくなる、デザイン面での自由度が減少するなどの問題を解消する、使用時に指を挟む心配のない安全なトリガを設けた水鉄砲を提供することを課題とする。また本考案は、玩具使用時に標的となるシャボン玉を発生させるシャボン玉発生玩具を水鉄砲に収納可能とし、水鉄砲またはシャボン玉発生玩具のみで遊ぶ場合においても、快適に遊ぶことができる水鉄砲を提供することを課題とする。
【０００５】
【課題を解決するための手段】
請求項１記載の考案は、水鉄砲であって、指掛け部上部に張出し部を形成したトリガを設けることにより、玩具使用時に水鉄砲本体のケースとトリガ上部の隙間に指を挟むことを防止可能としたことを特徴とする。
【０００６】
本考案によれば、トリガの指掛け部上部に形成される張出し部によって、指が保護されるので、玩具使用時に子供が水鉄砲本体のケースとトリガ上部の隙間に指を挟むことを防止可能な水鉄砲を提供することができる。
【０００７】
請求項２記載の考案は、水鉄砲であって、
指掛け部上部に張出し部を形成したトリガを設けることにより、玩具使用時に水鉄砲本体のケースとトリガ上部の隙間に指を挟むことを防止可能とし、且つ水鉄砲本体の一部にシャボン玉を発生させるシャボン玉発生玩具の収納部を設けたことを特徴とする。
【０００８】
【０００９】
【００１０】
本考案によれば、トリガの指掛け部上部に形成される張出し部によって、指が保護されるので、玩具使用時に子供が水鉄砲本体のケースとトリガ上部の隙間に指を挟むことを防止可能な水鉄砲を提供することができる。
また、水鉄砲本体にシャボン玉発生玩具の収納部を形成しているので、販売時には、この収納部にシャボン玉発生玩具を収納して販売することができる。また、玩具使用時には、シャボン玉発生玩具で発生させたシャボン玉を水鉄砲で射撃して遊ぶことができる。そして、シャボン玉発生玩具または水鉄砲のみで遊ぶ場合には、水鉄砲本体からシャボン玉発生玩具を取外して使用することができるので、いずれの場合においても快適に遊ぶことができる。
【００１１】
【考案の実施の形態】
本考案は、水鉄砲であって、指掛け部上部に張出し部を形成したトリガを設けることにより、玩具使用時に子供が水鉄砲本体のケースとトリガ上部の隙間に指
を挟むことを防止可能としている。
また、水鉄砲本体の一部にシャボン玉を発生させるシャボン玉発生玩具の収納部を設けている。これにより、玩具販売時に、この収納部にシャボン玉発生玩具を収納して販売可能とするだけでなく、玩具使用時には、シャボン玉発生玩具で発生させたシャボン玉を、水鉄砲で射撃して遊ぶことを可能としている。そして、シャボン玉発生玩具または水鉄砲のみで遊ぶ場合には、水鉄砲本体からシャボン玉発生玩具を取外して使用することにより、いずれの場合においても快適に遊ぶことを可能としている。
【００１２】
【実施例】
以下、図面を参照して、本考案に係る実施例を詳細に説明する。
はじめに、図１乃至図３を参照して本実施例に係る玩具の構成を説明する。
図１は、本実施例に係る玩具の外観を示しており、図２は、その断面図を示している。また、図３は、背面図を示している。
本実施例に係る水鉄砲は、水鉄砲本体１と、これに収納されるシャボン玉発生玩具２とから構成されている。
水鉄砲本体１は、樹脂成型して形成される上ケース１Ａと、下ケース１Ｂを接着して形成されており、内部には水タンク１１とポンプ３が設けられている。この水タンク１１の上部には、着脱自在のキャップ１１ａが嵌合される注水口が形成されており、使用時にはここから水４を入れる。
ポンプ３は、水タンク１１の内部に配置されており、トリガ６を操作することで作動して、吸水管３２から水タンク１１内部の水を吸い上げ、ゴムチューブ３１を通して放水口３３から放水する。
トリガ６には、指掛け部６ｂの上部に張出し部６ａが形成されている。この張出し部６ａは、指掛け部６ｂに掛けられた指が水鉄砲本体１のケースに接触することを防ぎ、玩具使用時に子供が水鉄砲本体のケースとトリガ上部の隙間に指を挟む問題を解消するものである。
シャボン玉発生玩具２は、試験管状の容器２２内部にシャボン玉液２３を注入し、下部にリング部材が設けられたバー２１ｂを有するキャップ２１を取付けて構成されており、水鉄砲本体１に設けた保持部に挿入して着脱自在に収納可能としている。収納時においては、容器２２がケース壁面１２、支持部材１３、接触部１４の三箇所で支えられ、各部の摩擦によって保持される。
キャップ２１は、容器２２の上部に螺子式に取付けられており、反時計方向に回転させることにより取外すことができる。そして、取外したキャップ２１を引き上げてリング部材２１ａを容器２２の外に引き出すと、リング部材２１ａにはシャボン膜が形成されるので、これに息を吹きかけることにより、シャボン玉を発生させることができる。
【００１３】次に、図４を参照して、本実施例に係る玩具の遊び方について説明する。
図４は、本実施例に係る玩具の使用状態を示す図である。
本実施例に係る玩具は、図示するように、シャボン玉発生玩具２を用いて飛ばしたシャボン玉５を射撃して遊ぶことができる。そして、シャボン玉発生玩具２を水鉄砲本体１から取外すことにより、シャボン玉発生玩具または水鉄砲のみでも快適に遊ぶことができる。
【００１４】なお、本実施例においては、シャボン玉発生玩具２は実施例に示す構造のものに限定されることなく、従来知られる他の構成によるものであっても構わない。
【００１５】
【考案の効果】本考案は、以上説明したような形態で実施され、次のような効果を奏する。
【００１６】本考案によれば、トリガの指掛け部上部に形成される張出し部によって、指が保護されるので、玩具使用時に子供が水鉄砲本体のケースとトリガ上部の隙間に指を挟むことを防止可能な水鉄砲を提供することができる。
【００１７】
【００１８】また、本考案によれば、トリガの指掛け部上部に形成される張出し部によって、指が保護されるので、玩具使用時に子供が水鉄砲本体のケースとトリガ上部の隙間に指を挟むことを防止可能な水鉄砲を提供することができると共に、水鉄砲本体にシャボン玉発生玩具の収納部を形成しているので、販売時には、この収納部にシャボン玉発生玩具を収納して販売することができる。
さらに、玩具使用時には、シャボン玉発生玩具で発生させたシャボン玉を水鉄砲で射撃して遊ぶことができる。
そして、シャボン玉発生玩具または水鉄砲のみで遊ぶ場合には、水鉄砲本体からシャボン玉発生玩具を取外して使用することができるので、いずれの場合においても快適に遊ぶことができる。
【００１９】
【図面の簡単な説明】
【図１】本考案に係る玩具の一実施例の外観を示す図である。
【図２】図１に示す水鉄砲本体の断面図である。
【図３】図１に示す玩具の背面図である。
【図４】図１に示す玩具の使用状態を示す図である。
【符号の説明】
１　　　水鉄砲本体
１Ａ　　上ケース
１Ｂ　　下ケース
１１　　水タンク
１１ａ　キャップ
１２　　ケース壁面
１３　　支持部材
１４　　接触部
２　　　シャボン玉発生玩具
２１　　キャップ
２１ｂ　バー
２１ａ　リング部材
２２　　容器
２３　　シャボン玉液
３　　　ポンプ
３１　　ゴムチューブ
３２　　吸水管
３３　　放水口
４　　　水
５　　　シャボン玉
６　　　トリガ
６ａ　　張出し部
６ｂ　　指掛け部